(57)【要約】【課題】連射動作中に限らず、暗い環境においてもファインダー内のカメラ情報を容易に視認できる撮像装置を提供すること。【解決手段】フレーミングを決定するためのファインダー像を結像するピント板と、ピント板と重なって視認できる様に配置された、光を透過、拡散する状態を切り替える複数の表示を有する長方形の液晶表示パネルと、液晶表示パネルを照明する照明手段と、を有するカメラファインダー装置において、液晶表示パネルの主ミラー側に照明手段の発光波長近傍の反射率が高いＡＲ処理を施すことを特徴とする。【選択図】図６
2019179950.tif 000002
【特許請求の範囲】
【請求項１】
フレーミングを決定するためのファインダー像を結像するピント板（６）と、
ピント板（６）と重なって視認できる様に配置された、光を透過、拡散する状態を切り替える複数の表示を有する長方形の液晶表示パネル（７）と、
液晶表示パネルを照明する照明手段（２５）と、
を有するカメラファインダー装置において、
液晶表示パネル（７）の主ミラー（３）側に照明手段（２５）の発光波長近傍の反射率が高いＡＲ処理を施すことを特徴とするカメラのファインダー装置。
【請求項２】
液晶表示パネル（７）の主ミラー（３）側と接眼（９）側の面に反射特性の異なるＡＲ処理を施し、接眼（９）側は照明手段（２５）の発光波長近傍の透過率が高い特性のＡＲ処理を有し、主ミラー（３）側は照明手段（２５）の発光波長近傍の反射率が高いＡＲ処理を施すことを特徴とする請求項１に記載のカメラのファインダー装置。
【請求項３】
主ミラー（３）を通り、サブミラー（４）の反射光から被写体の距離を検出するＡＦセンサー（５）の蓄積中も液晶表示パネル（７）を照明することを特徴とする請求項２に記載のカメラのファインダー装置。
【発明の詳細な説明】
【技術分野】
【０００１】
本発明は、一眼レフカメラのファインダー装置に関し、特にファインダー内表示装置に関する。
【背景技術】
【０００２】
従来、一眼レフカメラのファインダー装置で、情報表示の為に高分子分散液晶パネルを使用しているカメラが知られている。
【０００３】
特許文献１では、高分子分散液晶パネルを一眼レフカメラのファインダー装置の連射作動中に限らず、暗い環境下においてもファインダー内のカメラ情報を視認できるように測光センサーで測光された輝度に応じてピント板の上に配置した高分子分散液晶表示の照明用のＬＥＤの明るさを算出して当該算出された明るさに基づいてＬＥＤを制御する。このとき測光センサーによる測光が行われている場合にはＬＥＤを消灯制御し、測光センサーによる測光が行われていない場合にはＬＥＤを点灯している。
【先行技術文献】
【特許文献】
【０００４】
【特許文献１】特開２０１４―７５７３９号公報
【発明の概要】
【発明が解決しようとする課題】
【０００５】
しかしながら、上述の特許文献１に開示された従来技術では、測光センサーによる測光がおこなわれていない場合にＬＥＤを点灯するように制御しているが、通常のカメラ動作ではＡＦセンサーで被写体距離を測距してから、被写体輝度を測定する測光を行い、測光結果に基づいて高分子分散液晶表示の照明用のＬＥＤの発光制御を行っている。
【０００６】
このときＬＥＤ光は高分子分散液晶の上下面である接眼側と、主ミラー側へとすすむのだが、主ミラー側にはＡＦセンサーがあるので、ＬＥＤ光によって誤測距する恐れがある。このため従来からＡＦセンサーで被写体距離を測距している間もＬＥＤを消灯制御している。
【０００７】
これは連射中も同様で、ＡＦセンサーと測光センサーの蓄積時間中はＬＥＤの点灯を避けている。しかもＡＦセンサーの蓄積時間は被写体輝度に応じて異なるため、それを避けてＬＥＤを点灯しようとすると点滅は不定期で非常に見難い表示となってしまう。
【０００８】
本発明の目的は、連射動作中に限らず、暗い環境においてもファインダー内のカメラ情報を容易に視認できる撮像装置を提供することにある。
【課題を解決するための手段】
【０００９】
上記の目的を達成するために、本発明に係るカメラのファインダー装置は、
カメラのフレーミングを決定するためのファインダー像を結像するピント板と、
ピント板と重なって視認できる様に配置された、光を透過、拡散する状態を切り替える複数の表示を有する長方形の液晶表示パネルと、
液晶表示パネルを照明する照明手段とを有するカメラファインダー装置において、
液晶表示パネルの主ミラー側に照明手段の発光の波長のみ反射率が高いＡＲ処理を施すことを特徴とする。
【発明の効果】
【００１０】
本発明に係るカメラのファインダー装置によれば、連射動作中に限らず、暗い環境においてもファインダー内のカメラ情報を容易に視認できる撮像装置を提供することができる。
【図面の簡単な説明】
【００１１】
【図１】デジタル一眼レフカメラの構成図
【図２】ファインダー部分の分解斜視図
【図３】ＰＮ−ＬＣＤ周辺の上方からの図
【図４】ＰＮ−ＬＣＤの構成図
【図５】上下同一の反射特性のＡＲコートの分光反射率の図
【図６】上下異なる反射特性のＡＲコートの分光反射率の図
【図７】上下に６４０［ｎｍ］の波長を打ち消す反射特性のＡＲコートの分光反射率の図
【図８】デジタル一眼レフカメラのブロック図
【図９】撮影動作のフローチャート
【図１０−ａ】撮影制御のフローチャート
【図１０−ｂ】測距制御のフローチャート
【図１０−ｃ】測光制御のフローチャート
【図１０−ｄ】光源点灯制御のフローチャート
【図１１−ａ】従来のＡＦセンサーと測光センサーの蓄積とＬＥＤ発光のタイミングチャート
【図１１−ｂ】本特許案のＡＦセンサーと測光センサーの蓄積とＬＥＤ発光のタイミングチャート
【発明を実施するための形態】
【００１２】
以下に、本発明の好ましい実施の形態を、添付の図面に基づいて詳細に説明する。
【００１３】
図１〜図１１を参照して、本発明の実施例による、デジタル一眼レフカメラについて説明する。
【００１４】
図１は、本発明のデジタル一眼レフカメラの構成図で、図１は光学ファインダー観察状態を示している。
【００１５】
＜カメラ全体構成＞
図１において、１はカメラ本体、２は交換レンズである。
【００１６】
図１は光学ファインダー観察状態を示し、光学ファインダー観察状態では、交換レンズ２を通った撮影光束は、主ミラー３により、９０°上方に反射される。
【００１７】
また、主ミラー３はハーフミラーで構成され、主ミラー３を一部透過した撮影光束は、サブミラー４によりカメラ本体１の底面方向に反射される。底面方向に反射された撮影光束はＡＦユニット５に導かれる。
【００１８】
ＡＦユニット５は、従来から一眼レフカメラに用いられている位相差ＡＦ方式で構成する事が可能である。
【００１９】
主ミラー３により、９０°上方に反射された撮影光束は、ピント板６に結像する。ピント板６の結像面は、撮影面と光学的に等距離な位置に配置されている。
【００２０】
７は高分子分散液晶パネル（以下ＰＮ−ＬＣＤと称する）で、ＰＮ−ＬＣＤ７はピント板６の直上に配置されている。ＰＮ−ＬＣＤ７は非通電時には拡散状態になり、通電時に透過状態になる高分子分散液晶で構成されている。
【００２１】
８はペンタプリズム、９は接眼レンズで、ピント板６に結像した像をＰＮ−ＬＣＤ７を通し、ファインダー像として観察できるように構成されている。このピント板６、ＰＮ−ＬＣＤ７、ペンタプリズム８、接眼レンズ９の構成は従来技術で実現する事が出来る。
【００２２】
１０は測光ユニットで、測光ユニット１０はピント板６の拡散光を光軸に対し斜めの角度方向から検出して被写体の測光を行う。
【００２３】
１１は第１の情報表示パネルで、第１の情報表示パネル１１から出た光は第１のプリズム１２を介してペンタプリズム８に入り、接眼レンズ９を通してファインダー像の下側に観察される。第１の情報表示パネル１１は液晶パネルとバックライト等で構成される。
【００２４】
１３はＰＮ−ＬＣＤ７の照明用のライトガイドバーである。ライトガイドバー１３は第１の情報表示パネル１１と対向する側に配置されている。
【００２５】
１４はシャッターユニットである。シャッターユニット１４は縦走りのシャッターユニットで構成されている。
【００２６】
１５は撮像素子で、ＣＭＯＳセンサー等で構成される。
【００２７】
１６は交換レンズ２に内蔵された撮影光学系である。撮影光学系１６はカメラ本体１からのコントロールにより、フォーカス調整が可能な構成をとっている。
【００２８】
１７は絞りである。絞り１７はカメラ本体１からのコントロールにより、開口径の調整が可能な構成をとっている。
【００２９】
図１において、撮影動作が行われる場合、主ミラー３とサブミラー４が上方に跳ねあげられ、シャッターユニット１４と絞り１７により露光量がコントロールされて撮像素子１５で撮影が行われる。撮影後、主ミラー３とサブミラー４は図１の位置に戻る。撮影動作は、従来のデジタル一眼レフカメラと同じ動作で実現できる。
【００３０】
＜ＰＮ―ＬＣＤ周辺の分解斜視図＞
図２は本発明を適用したデジタル一眼レフカメラのファインダー部分の分解斜視図であり、図１と対応する部分には同じ番号を付けてある。図の手前がレンズ２側で、図の下側がカメラ本体１の下方向である。
【００３１】
図２において、２０はペンタホルダーで、ペンタホルダー２０はペンタプリズム８を上部に保持している。
【００３２】
２１はＰＮ−ＬＣＤマスクで、ＰＮ−ＬＣＤマスク２１には、両面テープ２２が固着されている。
【００３３】
２３はＰＮ−ＬＣＤホルダーで、ＰＮ−ＬＣＤ７とライトガイドバー１３を固定する。ＰＮ−ＬＣＤホルダー２３はビス２６によりペンタホルダー２０に固定される。
【００３４】
２４は視野マスクで、視野マスク２４により、ファインダーの視野が決定される。
【００３５】
＜ＰＮ−ＬＣＤ周辺の上方からの図＞
図３はＰＮ−ＬＣＤ７をカメラ本体１の上方から見た時のＰＮ−ＬＣＤ７の主要要素の配置を示す配置図である。
【００３６】
図３の上側がカメラ本体１のレンズ２側に対応している。
【００３７】
図３に示されている様に、ＰＮ−ＬＣＤ７を中心としたときに、カメラ本体１のレンズ２側にライトガイドバー１３、左側に第２の情報表示パネル１８と第２のプリズム１９、カメラ本体１のレンズ２と反対側に第１の情報表示パネル１１と第１のプリズム１２、右側にはＰＮ−ＬＣＤ７のコントロールフレキ７ａが配置されている。
【００３８】
２５は照明ＬＥＤで、照明ＬＥＤ２５はコントロールフレキ７ａの一部に設けられた引き出し部７ｂ上に実装されている。照明ＬＥＤ２５はＰＮ−ＬＣＤ７のコントロールフレキ７ａに実装されており、ライトガイドバー１３の入射部１３ａに近接するように配置されている。照明ＬＥＤ２５から出た光はライトガイドバー１３の入射部１３ａから入り、１３ｃ部に形成した微細なプリズム部で反射して出射部１３ｂから出る。本ライトガイドバー１３の構成については、従来技術（例えば、実用新案登録第３０８２７６２号公報）で構成する事が出来る。
【００３９】
出射部１３ｂから出た照明光はＰＮ−ＬＣＤ７の上端面からＰＮ−ＬＣＤ７の内部に入り、ＰＮ−ＬＣＤ７の表示内容に対する照明が行われる。両面テープ２２はＰＮ−ＬＣＤ７の有効表示領域を避け、外形に沿ってロの字型に形成されるとともに、複数の舌片部２２ａがライトガイドバー１３側に突出している。舌片部２２ａによってライトガイドバー１３を保持している。このときライトガイドバー１３の導光作用は全反射により損失が軽減されているので、両面テープが張り付けられると、両面テープ部分の全反射が失われ導光損失が増える。このため、ライトガイドバー１３の出射面１３ｂより入射面１３ａよりの領域は舌片部２２ａを間欠的に設けることにより、損失を軽減している。
【００４０】
次に、ＰＮ−ＬＣＤ７の表示内容について説明する。
【００４１】
７ｃは測距点表示で、オートフォーカスの為に使用される測距点位置を示しており、測距点選択時と合焦時に表示される。７ｄは撮影モード表示、７ｅはホワイトバランス表示、７ｆはドライブモード表示、７ｇはＡＦモード表示、７ｈは圧縮モード表示である。それぞれの表示はアイコンになっており、カメラに設定状態に応じて表示内容が切り替わる。ＰＮ−ＬＣＤ７の表示内容はペンタプリズム８を介してファインダー像と重なって視認される。ペンタプリズム８を介している為、左右が反転して見えるので、７ｄ〜７ｈの表示内容のアイコンは左右反転して構成されている。７ｉは方眼線表示で、方眼線表示モードの時に表示される。
【００４２】
第１の情報表示パネル１１の内容はシャッター速度と絞り等、第２の情報表示パネル１８の内容は露出補正値等が表示される。
【００４３】
＜ライトガイドの照明構成＞
図４は図３のＡ―Ａ断面でのライトガイドバー１３によるＰＮ−ＬＣＤ７の照明の説明図である。
【００４４】
ＰＮ−ＬＣＤ７は上下のガラス７ｊ、７ｋの間に、高分子分散型液晶を挟み込み、その周辺をシール部７ｎで封しした構造である。前述したように照明光はライトガイドバー１３のプリズム部１３ｃからの反射光が出射部１３ｂから出てＰＮ−ＬＣＤ７に入る。ＰＮ−ＬＣＤ７に入った照明光は直接光とＰＮ−ＬＣＤ７上下面の反射光の両方で伝わり、内部のＬＣＤの表示部分７ｅ、７ｃ、７ｉ等にあたると拡散光としてＰＮ−ＬＣＤ７の上下面に発せられる。このため、表示部７ｅ、７ｃ、７ｉ等に当たった拡散光の内、接眼側（図中上側）への照射光がペンタ８、接眼レンズ９を通って撮影者の目に届くと共に、主ミラー３側（図中下側）へも照射される。その結果、接眼側（図中上側）への照射光は測光ユニット１０へ、主ミラー３側（図中下側）への照射光はＡＦユニット５へも到達し、誤反応する恐れがある。このため測光ユニット１０とＡＦセンサー５が蓄積中はＰＮ−ＬＣＤ７の照明ＬＥＤ２５を点灯しないように制御している。
【００４５】
以上説明した構成により、交換レンズ２を通った撮影光束はピント板６に結像し、その後直上に配置されたＰＮ−ＬＣＤ７を通過しファインダー像として観察される。この時、ＰＮ−ＬＣＤ７の表示内容７ｃ〜７ｉが表示状態つまり拡散状態になっていると、表示内容の位置の光は拡散するのでファインダー像の中で暗く見える。その為、ファインダー像にスーパーインポーズされた状態で視認される。
【００４６】
次に、被写体が暗い状態での動作について説明する。
【００４７】
測光ユニット１０による被写体測光の結果、所定値よりも被写体輝度が低い場合には、ＰＮ−ＬＣＤ７に対して照明が行われる。照明は、照明ＬＥＤ２５が点灯し、ライトガイドバー１３を介してＰＮ−ＬＣＤ７の端面から光を入射させる事で行われる。照明光が入射した場合、ＰＮ−ＬＣＤ７の表示内容７ｃ〜７ｉは照明光を拡散するため、暗い背景の中で明るく視認される。
【００４８】
上記構成により、ファインダー像にＰＮ−ＬＣＤ７の表示内容がスーパーインポーズ表示され、ファインダー像の下側に第１の情報表示パネル１１の内容が表示され、ファインダー像の右側に第２の情報表示パネル１８の内容が表示するとともに、被写体が暗い時にはＰＮ−ＬＣＤ７が照明されて視認可能になる。
【００４９】
＜ＡＲコートの特性＞
次にＰＮ−ＬＣＤ７の上下面に施すＡＲコート（ＡＲフィルム）の特性について説明する。
【００５０】
図５は、図４のＰＮ−ＬＣＤ７の上下面７ｌ、７ｍに各波長でほぼ一定で低い反射率を有するＡＲコート（ＡＲフィルム）を施した際のグラフで、横軸が波長［ｎｍ］を表し縦軸が反射率％を表している。
【００５１】
このような特性のＡＲコート（ＡＲフィルム）を施すことで、ファインダーの色味のバランスを維持しつつ、ファインダー全体の輝度低下を最小限に抑えることができる。
【００５２】
図６は、ＰＮ−ＬＣＤ７の上下面に施すＡＲコート（ＡＲフィルム）のうち、接眼側（上側）のＡＲコート（ＡＲフィルム）は低い反射率のままにして、主ミラー３側のみ照明ＬＥＤ２５の発光波長６４０［ｎｍ］近傍を高い反射率有するＡＲコート（ＡＲフィルム）を施した際のグラフである。
【００５３】
このような特性にすることで、照明ＬＥＤ２５の発光時、ＬＥＤ光がＰＮ−ＬＣＤ７内部から主ミラー３側に抜ける光量を減少させることができる。その結果、ＡＦセンサーユニットへの光量を低減し、誤光距が抑えられるのでＡＦセンサーユニット蓄積中でも、照明ＬＥＤ２５を点灯させることができる。
【００５４】
しかし、ファインダーの色味としては接眼側に６４０［ｎｍ］近傍のみ光量が減少するため、ファインダー像は青みがかった色味になる。
【００５５】
そこで、図７に示すように、接眼側には照明ＬＥＤ２５の発光波長６４０［ｎｍ］の波長のみ反射率が低い特性有するＡＲコート（ＡＲフィルム）を施すことにより、照明ＬＥＤ２５の発光時、ＬＥＤ光がＰＮ−ＬＣＤ７内部から主ミラー側に抜け、ＡＦセンサーユニット側に抜ける光量を減少させることができ、しかも、接眼側のＡＲコート（ＡＲフィルム）の特性が６４０［ｎｍ］のみ低いため、ファインダー全体の色味としては平準化され、色味の変化を抑えることができる。
【００５６】
＜カメラ構成のブロック図＞
図８は、本発明の図１に示すデジタル一眼レフカメラの構成を示すブロック図である。
【００５７】
撮像素子１２０として、例えば、ＣＣＤ又はＣＭＯＳイメージセンサー等が用いられる。撮像素子１２０は、撮像素子１２０上に結像した光学象を光電変換して、光学像に応じた電気信号（アナログ信号）を出力する。
【００５８】
ＡＭＰ回路１２１は、撮像素子１２０の出力であるアナログ信号を、設定された撮影感度に応じたゲインで増幅する。そして、Ａ／Ｄ変換回路１２２はＡＭＰ回路１２１の出力をＡ／Ｄ変換してデジタル信号（画像信号）を出力する。
【００５９】
画像処理回路１２３は、Ａ／Ｄ変換回路１２２の出力である画像信号を受けて、当該画像信号に対して、例えば、フィルター処理、色変換処理、およびガンマー／ニー処理を行った後、メモリコントローラ１２７に画像データとして出力する。画像処理回路１２３にはＤ／Ａ変換回路が内蔵されており、画像処理回路１２３はＡ／Ｄ変換回路１２２によってＡ／Ｄ変換回路１２２の出力であるデジタル信号又はメモリコントローラ１２７にから入力される画像データをアナログ信号に変換する。そして、このアナログ信号は液晶駆動回路１２４を介して液晶表示部１２５に画像として表示される。
【００６０】
なお、上述の画像処理回路１２３による画像処理および表示処理は、マイクロコンピュータ１４２の制御によって切り替えられる。また、マイクロコンピュータ１４２は、撮影の結果得られた画像のカラーバランス情報に基づいてホワイトバランス調整を行う。
【００６１】
液晶表示部１２５は、後述のように撮像装置本体の背面に配置されて、画像を表示する背面モニタである。
【００６２】
メモリコントローラ１２７は、画像処理回路１２３から出力される未処理の画像信号をバッファメモリ１２６に格納する。また、メモリコントローラ１２７は画像処理回路１２３から出力される画像データ（画像処理済みの画像信号）を記録媒体１２８に格納する。
【００６３】
一方、メモリコントローラ１２７はバッファメモリ１２６又は記録媒体１２８から画像信号又は画像データを取り込んで画像処理回路１２３に出力する。さらに、メモリコントローラ１２７は、外部インタフェース１２９を介して受けた画像データを記録媒体１２８に格納する。そして、メモリコントローラ１２７は記録媒体１２８に格納された画像データを、外部インタフェース１２９を介して外部機器（図示せず）に出力する。
【００６４】
外部インタフェース１２９として、例えば、ＵＳＢ、ＩＥＥＥ、又はＨＤＭＩ（登録商標）が用いられる。記録媒体１２８は、撮像装置本体に対して着脱可能であり、例えば、メモリカードである。
【００６５】
マイクロコンピュータ１４２は、カメラ本体２００全体の制御を司る。そして、マイクロコンピュータ１４２は不揮発性メモリ１３８に記録されたプログラムを実行して、後述の各種処理を行う。なお、マイクロコンピュータ１４２は、タイミング制御回路１３２を介して撮像素子１２０の駆動タイミングを制御する。また、マイクロコンピュータ１４２はシャッター制御回路１３６を介してシャッターユニット１１７を制御する。
【００６６】
電源制御回路１３５は、ＡＣ電源部１３０又は２次電池部１３１より供給される電源を制御するための回路である。電源制御回路１３５はマイクロコンピュータ１４２の制御下で電源のオンオフ制御を行う。また、電源制御回路１３５は電源状態検知回路１３４によって検知された現在の電源状態を示す電源状態情報、そして、電源種類検知回路１３３によって検知された現在の電源の種類を示す電源種類情報をマイクロコンピュータ１４２に通知する。
【００６７】
光学フィルター振動制御回路１３７は、光学フィルター１１８に接続されている圧電素子１１９を振動させるための回路である。そして、光学フィルター振動制御回路１３７は、マイクロコンピュータ１４２の制御下で、振動の振幅、振動時間、振動の軸方向の各々を制御して圧電素子１１９を振動させる。
【００６８】
不揮発性メモリ１３８には、ユーザーが任意に設定したシャッター速度、絞り値、および撮影感度などの設定値が格納されるとともに、その他の各種データが格納される。そして、これら設定値および各種データはカメラ本体２００の電源がオフされた状態でも、不揮発性メモリ１２８に保存される。
【００６９】
ＬＥＤ１３９は、前述のように、ファインダー内に備えられた表示部であるＰＮ−ＬＣＤ１４０を照明するためのものである。ＬＥＤ１３９は、後述するように、マイクロコンピュータ１４２によって所定のタイミングで点灯および消灯が制御される。
【００７０】
ＰＮ−ＬＣＤ１４０には、ＰＮ−ＬＣＤ駆動回路１４１によって現在オートフォーカスが行われている測距点を示す枠が表示される。さらに、ＰＮ−ＬＣＤ１４０には、カメラ本体２００が認識する被写体の顔の位置を示す枠などが表示される。
【００７１】
なお、ＰＮ−ＬＣＤ１４０は、液晶又は自発光する発光素子などで構成されても良い。また、ＰＮ−ＬＣＤ１４０が自発光する発光素子である際には、ＬＥＤ１３９を点灯制御する代わりに、当該発光素子が点灯制御されることになる。そして、ＰＮ−ＬＣＤ１４０が自発光する発光素子である場合には、ＬＥＤ１３９は備えなくてもよい。
【００７２】
図８には示されていないが、撮像装置本体には操作部が備えられており、ユーザーは操作部を用いてマイクロコンピュータ１４２に対して各種操作指示を入力する。
【００７３】
＜撮影動作＞
図９は、図８に示すカメラ本体２００における撮影処理を説明するためのフローチャートで、図４に示すＰＮ−ＬＣＤ７の上下面に各波長でほぼ一定で低い反射特性を有するＡＲコート（ＡＲフィルム）を施した時のものである。
【００７４】
撮影処理が開始されると、マイクロコンピュータ１４２はレリーズ釦（不図示）が半押しされている状態であるか否か（ＳＷ１オンか）を判定する。つまり、マイクロコンピュータ１４２は測距開始がオンであるか否かを判定することになる（ステップＳ３０１）。
【００７５】
測距開始がオフであると（ステップＳ３０１において、ＮＯ）、マイクロコンピュータ１４２は撮影処理を終了する。一方、測距開始がオンであると（ステップＳ３０１において、ＹＥＳ）、マイクロコンピュータ１４２は、後述する測距制御（ステップＳ３０２）、測光制御（ステップＳ３０３）を行い、測光制御（ステップＳ３０３）の結果に基づいて、点灯制御を行う（ステップＳ３０４）。
【００７６】
次に、マイクロコンピュータ１４２は、レリーズ釦（不図示）が全押しされているか否か（ＳＷ２オンか）を判定する（ステップＳ３０５）。ＳＷ２がオフであると（ステップＳ３０５において、ＮＯ）、マイクロコンピュータ１４２はステップＳ３０１の処理に戻る。一方、ＳＷ２がオンであると（ステップＳ３０５において、ＹＥＳ）、マイクロコンピュータ１４２は、後述の撮影制御（つまり、撮影動作）を行う（ステップＳ３０６）。
【００７７】
その後、マイクロコンピュータ１４２は再度ＳＷ２がオンであるか否かを判定する（ステップＳ３０７）。ＳＷ２がオフであると（ステップＳ３０７において、ＮＯ）、マイクロコンピュータ１４２はステップＳ３０１の処理に戻る。
【００７８】
ＳＷ２がオンであると（ステップＳ３０７において、ＹＥＳ）、マイクロコンピュータ１４２は、ステップＳ３０２、Ｓ３０３と同様にして測距制御（ステップＳ３０９）、測光制御を行う（ステップＳ３０９）。続いて、測光制御（Ｓ３０９）の測定結果に基づいて光源を点灯する（ステップＳ３１０）、マイクロコンピュータ１４２は、撮影モードが連写モードであるか否かを判定する（ステップＳ３１１）。撮影モードが連写モードであると（ステップＳ３１１において、ＹＥＳ）、マイクロコンピュータ１４２はステップＳ３０６の処理に戻って撮影制御を行う。一方、撮影モードが連写モードでないと（ステップＳ３１１において、ＮＯ）、マイクロコンピュータ１４２はステップＳ３０７の処理に戻る。
【００７９】
図１０−ａは、図９に示す撮影制御を説明するためのフローチャートである。
【００８０】
撮影制御を開始すると、マイクロコンピュータ１４２はＬＥＤ１３９を消灯制御する（ステップＳ４０１）。続いて、マイクロコンピュータ１４２は主ミラー１１２をアップさせる（ステップＳ４０２）。そして、マイクロコンピュータ１４２はシャッター制御回路３６によってフォーカルプレーンシャッター１１７を開く（ステップＳ４０３）。これによって、露光が行われる（ステップＳ４０４）。
【００８１】
マイクロコンピュータ１４２は、設定されたシャッター速度に基づいて、タイミング制御回路３２によって撮像素子２０の駆動タイミングを制御する。これによって、撮像素子２０の出力であるアナログ信号がＡＭＰ回路２１によって、設定ＩＳＯ値に応じたゲインで増幅されて、Ａ／Ｄ変換回路１２２に入力される。そして、マイクロコンピュータ１４２の制御下でＡ／Ｄ変換回路１２２はアナログ信号をデジタル信号に変換し、画像処理回路２３は出力である画像データをバッファメモリ１２６に書き込む。
【００８２】
続いて、マイクロコンピュータ１４２はシャッター制御回路１３６によってフォーカルプレーンシャッター１７を閉じる（ステップＳ４０５）。その後、マイクロコンピュータ１４２の制御下で、メモリコントローラ１２７はバッファメモリ１２６に書き込まれた画像データを記録媒体１２８に書き込む（ステップＳ４０６）。そして、マイクロコンピュータ１４２は主ミラー１１２のダウンを行う（ステッップＳ４０７）。
【００８３】
続いて、マイクロコンピュータ１４２は、主ミラー１１２のダウンが完了するまでの時間を計測するため内蔵のミラーダウンタイマーによる計時を開始する（ステップＳ４０８）。その後、マイクロコンピュータ１４２は、図９のステップ３０５と同様にして、ＬＥＤ１３９の点灯制御を行う（ステップＳ４０９）。
【００８４】
次に、マイクロコンピュータ１４２はミラーダウンタイマーがカウントアップしたか否かを判定する（ステップＳ４１０）。ミラーダウンタイマーがカウントアップしていないと（ステップＳ４１０において、ＮＯ）、マイクロコンピュータ１４２は待機する。一方、ミラーダウンタイマーがカウントアップすると（ステップＳ４１０において、ＹＥＳ）、マイクロコンピュータ１４２は撮影制御を終了する。
【００８５】
図１０−ｂは、図９に示す測距制御を説明するためのフローチャートである。
【００８６】
測距制御を開始すると、まず、マイクロコンピュータ１４２はＡＦユニット１１１を制御して被写体までの距離を測距するため光の蓄積を開始する（測距開始：ステップＳ５０１）。そして、マイクロコンピュータ１４２は光の蓄積が終了したか否かを判定する（ステップＳ５０２）。つまり、マイクロコンピュータ１４２は測距が終了したか否かを判定することになる。光の蓄積が終了していなければ（ステップＳ５０２において、ＮＯ）、マイクロコンピュータ１４２は待機する。
【００８７】
一方、光の蓄積が終了すると（ステップＳ５０２において、ＹＥＳ）、つまり、測光が終了すると、マイクロコンピュータ１４２は、ＡＦユニット１１１の出力に応じてデフォーカス量を算出する（ステップＳ５０３）。そして、マイクロコンピュータ１４２は交換レンズ１００内のフォーカス用レンズ１０５を光軸方向に進退させる。
【００８８】
そして、被写体がＡＦユニット１１１に合焦しているか否かを判断し、合焦している場合は合焦枠を表示し（ステップＳ５０７）測距制御を終了し、合焦していない場合は図１の第１の情報表示パネル１１に合焦エラーを表示して（ステップＳ５０８）測距制御を終了する。
【００８９】
図１０−ｃは、図９に示す測光制御を説明するためのフローチャートである。
【００９０】
測光制御を開始すると、まず、ＬＥＤ１３９を消灯制御し（ステップＳ６０１）、続いてマイクロコンピュータ１４２は測光センサー１１５を制御して被写体の輝度を測光するため光の蓄積を開始する（測光開始：ステップＳ６０２）。そして、マイクロコンピュータ１４２は光の蓄積が終了したか否かを判定する（ステップＳ６０３）。つまり、マイクロコンピュータ１４２は測光が終了したか否かを判定することになる。光の蓄積が終了していなければ（ステップＳ６０３において、ＮＯ）、マイクロコンピュータ１４２は待機する。
【００９１】
一方、光の蓄積が終了すると（ステップＳ６０３において、ＹＥＳ）、つまり、測光が終了すると、マイクロコンピュータ１４２は、測光センサー１１５の出力に応じて被写体輝度を算出する（ステップＳ６０４）。そして、マイクロコンピュータ１４２は測光制御を終了する。
【００９２】
図１０−ｄは、図９に示す光源点灯制御を説明するためのフローチャートである。
【００９３】
光源点灯制御を開始すると、まず、マイクロコンピュータ１４２は、図１０−ｃのステップＳ６０４で算出した被写体輝度が所定の輝度閾値よりも高いか否かを判定する（ステップＳ６０１）。
【００９４】
被写体輝度が輝度閾値以下であると（ステップＳ７０１において、ＮＯ）、マイクロコンピュータ１４２は、光源点灯する（ステップＳ７０２）。そして、マイクロコンピュータ１４２は光源点灯制御を終了する。
【００９５】
ステップＳ６０４で算出した被写体輝度が輝度閾値よりも高いと（ステップＳ７０１において、ＹＥＳ）、マイクロコンピュータ１４２はＬＥＤ１３９を消灯して（ステップＳ７０３）、光源点灯制御を終了する。
【００９６】
＜ＬＥＤの発光タイミングチャート＞
図１１−ａは、図１、図８に示す撮像装置において測距と測光の際のＬＥＤの点灯の状態と各測光ユニットにおける光の蓄積状態を説明するためのタイミングチャートである。
【００９７】
図８で説明したように光源点灯制御を行うと、ＡＦユニット１１１、測光ユニット１１５に光が蓄積されている測光期間Ａでは、ＬＥＤ１３９が消灯し、一方、ＡＦユニット１１１、測光ユニット１１５に光が蓄積されていない非測光期間Ｂでは、ＬＥＤ１３９が点灯している。このような制御を行うことで、ＬＥＤ１３９が点灯時にＡＦユニット１１１と測光ユニット１１５への漏れ光による誤測光を防止して、測距と被写体輝度を正確に算出することができる。
【００９８】
しかし、図１１−ａのように、ＡＦユニットと測光ユニットの蓄積時間の両方のタイミングを避けてＬＥＤを発光させる場合、ＬＥＤの点灯時間が短く、かつ点滅周期が長い見難い点滅になる。さらにＡＦユニットのセンサー蓄積時間は一定ではないので、不定周期な点滅になって更に見難い点滅状態となる。
【００９９】
そこで、図６に示すように、ＰＮ−ＬＣＤ７の上下面に施すＡＲコート（ＡＲフィルム）のうち、接眼側のＡＲコート（ＡＲフィルム）は低い反射率のままにして、主ミラー側のみ照明ＬＥＤ２５の発光波長近傍を高い反射率有するＡＲコート（ＡＲフィルム）を施した場合、ＬＥＤ１３９が点灯してもＡＦユニット側への光量が低減されて、ＡＦセンサーの誤測光を抑制することができる。
【０１００】
その結果、図１１−ｂに示すようにＡＦユニットが光を蓄積している間もＬＥＤ１３９が点灯可能となって、ＬＥＤ１３９の発光時間が長くなるので（Ｂ’＞Ｂ）、点滅していることが分かり辛くなる。
【符号の説明】
【０１０１】
１，２００  カメラ本体、２，１００  交換レンズ、３，１１２  主ミラー、
４  サブミラー、５，１１１  ＡＦユニット、６，１１３  ピント板、
７，１４０  高分子分散液晶パネル、７ａ  コントロールフレキ、７ｂ  引き出し部、
７ｃ  測距点表示、７ｄ  撮影モード表示、７ｅ  ホワイトバランス表示、
７ｆ  ドライブモード表示、７ｇ  ＡＦモード表示、７ｈ  圧縮モード表示、
７ｉ  方眼線表示、８，１１４  ペンタプリズム、９，１１６  接眼レンズ、
１０，１１５  測光ユニット、１１  第１の情報表示パネル、１２  第１のプリズム、
１３  ライトガイドバー、１３ａ  入射部、１３ｂ  出射部、
１３ｃ  微細プリズム部、１３ｄ  ライトガイドバー付き当て部、
１４，１１７  シャッターユニット、１５，１２０  撮像素子、
１６，１０５  撮影光学系、１７，１０１  絞り、１８  第２の情報表示パネル、
１９  第２のプリズム、２０  ペンタホルダー、２０ａ  第１の壁、
２０ｂ  第２の壁、２０ｃ  位置決め部、２１  ＰＮ−ＬＣＤマスク、
２２  両面テープ、２２ａ  舌片部、２３  ＰＮ−ＬＣＤホルダー、
２４  視野マスク、２５，１３９  照明ＬＥＤ、２６  ビス、
１４０  マイクロコンピュータ
【図１】
2019179950.tif 000003
【図２】
2019179950.tif 000004
【図３】
2019179950.tif 000005
【図４】
2019179950.tif 000006
【図５】
2019179950.tif 000007
【図６】
2019179950.tif 000008
【図７】
2019179950.tif 000009
【図８】
2019179950.tif 000010
【図９】
2019179950.tif 000011
【図１０−ａ】
2019179950.tif 000012
【図１０−ｂ】
2019179950.tif 000013
【図１０−ｃ】
2019179950.tif 000014
【図１０−ｄ】
2019179950.tif 000015
【図１１−ａ】
2019179950.tif 000016
【図１１−ｂ】
2019179950.tif 000017